(57)【要約】【課題】  波長が異なる３つのレーザー光によって異なる規格の光ディスクに記録されている信号の読み出し動作を行うことが出来る光ピックアップ装置を提供する。【解決手段】  ３波長レーザーダイオードから放射される各レーザー光を第１光ディスク、第２光ディスク及び第３光ディスクに設けられている信号記録層に集光させるとともに各信号記録層から反射される第１レーザー光の戻り光を受光する第１受光部１２ａ、第２レーザー光の戻り光を受光する第２受光部１２ｂ及び第３レーザー光の戻り光を受光する第３受光部１２ｃが同一の筐体内に設けられている光検出器を備え、前記第２受光部１２ｂ及び第３受光部１２ｃを４つに分割された４分割センサーにて構成するとともに前記第１受光部１２ａを４分割以上のセンサーにて構成する。【選択図】  図１
2012150852.tif 000002
【特許請求の範囲】
【請求項１】
波長が短い第１レーザー光を放射する第１レーザーチップ、第１レーザー光より波長が長い第２レーザー光を放射する第２レーザーチップ及び第２レーザー光より波長が長い第３レーザー光を放射する第３レーザーチップが同一の筐体内に設けられている３波長レーザーダイオードから放射される各レーザー光を光ディスクの表面から信号記録層までの距離が異なる第１光ディスク、第２光ディスク及び第３光ディスクに設けられている信号記録層に集光させるとともに各信号記録層から反射される第１レーザー光の戻り光を受光する第１受光部、第２レーザー光の戻り光を受光する第２受光部及び第３レーザー光の戻り光を受光する第３受光部が同一の筐体内に設けられている光検出器を備えた光ピックアップ装置において、前記第２受光部及び第３受光部を４つに分割された４分割センサーにて構成するとともに前記第１受光部を４分割以上のセンサーにて構成したことを特徴とする光ピックアップ装置。
【請求項２】
第１受光部を構成する各センサーより得られる信号のレベルを調整する利得調整回路を各センサーに設けたことを特徴とする請求項１に記載の光ピックアップ装置。
【請求項３】
利得調整回路の利得を調整することによって第１受光部の位置調整を行うようにしたことを特徴とする請求項２に記載の光ピックアップ装置。
【請求項４】
第１受光部の分割数を３波長レーザーダイオードに組み込まれるレーザーチップの配置ずれの大きさに基づいて設定するようにしたことを特徴とする請求項１に記載の光ピックアップ装置。
【発明の詳細な説明】
【技術分野】
【０００１】
本発明は、光ディスクに記録されている信号の読み出し動作や光ディスクに信号の記録動作をレーザー光によって行う光ピックアップ装置に関する。
【背景技術】
【０００２】
光ピックアップ装置から照射されるレーザー光を光ディスクの信号記録層に照射することによって信号の読み出し動作や信号の記録動作を行うことが出来る光ディスク装置が普及している。
【０００３】
光ディスク装置としては、ＣＤやＤＶＤと呼ばれる光ディスクを使用するものが一般に普及しているが、最近では記録密度を向上させた光ディスク、即ちＢｌｕ−ｒａｙ規格の光ディスクを使用するものが開発されている。
【０００４】
ＣＤ規格の光ディスクに記録されている信号の読み出し動作を行うレーザー光としては、波長が７８５ｎｍである赤外光が使用され、ＤＶＤ規格の光ディスクに記録されている信号の読み出し動作行うレーザー光としては、波長が６５５ｎｍの赤色光が使用されている。
【０００５】
また、ＣＤ規格の光ディスクにおける信号記録層と光ディスクの表面との間に設けられている透明な保護層の厚さは１．２ｍｍであり、この信号記録層から信号の読み出し動作を行うために使用される対物レンズの開口数は、０．４７と設定されている。そして、ＤＶＤ規格の光ディスクにおける信号記録層と光ディスクの表面との間に設けられている透明な保護層の厚さは０．６ｍｍであり、この信号記録層から信号の読み出し動作を行うために使用される対物レンズの開口数は、０．６と設定されている。
【０００６】
斯かるＣＤ規格及びＤＶＤ規格の光ディスクに対して、Ｂｌｕ−ｒａｙ規格の光ディスクに記録されている信号の読み出し動作を行うレーザー光としては、波長が短いレーザー光、例えば波長が４０５ｎｍの青紫色光が使用されている。
【０００７】
Ｂｌｕ−ｒａｙ規格の光ディスクにおける信号記録層の上面に設けられている保護層の厚さは、０．１ｍｍであり、この信号記録層から信号の読み出し動作を行うために使用される対物レンズの開口数は、０．８５と設定されている。
【０００８】
Ｂｌｕ−ｒａｙ規格の光ディスクに設けられている信号記録層に記録されている信号の読み出し動作や該信号記録層に信号を記録するためにレーザー光を集光させることによって生成されるレーザースポットの径を小さくする必要がある。所望のレーザースポット形状を得るために使用される対物レンズは、開口数が大きくなるだけでなく焦点距離が短くなるので、対物レンズの曲率半径が小さくなるという特徴がある。
【０００９】
前述したＣＤ規格、ＤＶＤ規格及びＢｌｕ−ｒａｙ規格の全ての光ディスクに記録されている信号の読み出し動作や記録動作を行うことが出来る光ディスク装置が製品化されているが、斯かる光ディスク装置に組み込まれる光ピックアップ装置として、Ｂｌｕ−ｒａｙ規格の光ディスクに記録されている信号の読み出し動作を行う第１レーザー光を放射するレーザーダイオード、該レーザーダイオードから放射される第１レーザー光を信号記録層に集光させる第１対物レンズ、ＤＶＤ規格の光ディスクに記録されている信号の読み出し動作を行う第２レーザー光及びＣＤ規格の光ディスクに記録されている信号の読み出し動作を行う第３レーザー光を放射する２波長レーザーダイオード、そして第２レーザー光及び第３レーザー光を各光ディスクの信号記録層に集光させる第２対物レンズが組み込まれた光ピックアップ装置が一般に採用されている(特許文献１参照。)。
【００１０】
規格の異なる３つの光ディスクに記録されている信号の読み出し動作を行うことが出来るように構成された光ピックアップ装置には、特許文献１に記載されているように第１レーザー光を放射するレーザーダイオードと第２レーザー光及び第３レーザー光の２つのレーザー光を放射する２波長レーザーダイオードの２つのレーザーダイオードが一般に使用されているが、最近では、第１レーザー光、第２レーザー光及び第３レーザー光の異なる波長の３つのレーザー光を放射させるように構成された３波長レーザーダイオードを使用する光ピックアップ装置が提案されている(特許文献２参照。)。
【００１１】
光ピックアップ装置は、信号記録層から反射される戻り光を光検出器に照射させ、該光検出器から得られる信号を利用してフォーカス制御動作、トラッキング制御動作及び信号の復調動作を行うための信号を得るように構成されている。
【００１２】
斯かる光ピックアップ装置では、戻り光を光検出器を構成するセンサーに照射させるように構成されているが、センサーに対する戻り光の照射位置を正確に行う必要がある。しかしながら、光学系を構成する各光学部品の取付位置のずれ等によってセンサーに対する戻り光の照射位置がずれることがあり、光検出器の位置を調整する動作、所謂ＸＹポジション調整と呼ばれる動作が行われる。
【００１３】
斯かるＸＹポジション調整を行っても戻り光の照射位置を最適な位置に調整することが出来ない場合や光検出器の位置を変位調整することが出来ない場合があり、斯かる問題を解決する方法として光検出器を構成するセンサーから得られる信号のレベルを調整する技術が提案されている(特許文献３参照。)。
【先行技術文献】
【特許文献】
【００１４】
【特許文献１】特開２０１０−６１７８１号公報
【特許文献２】特開２０１０−２７１４８号公報
【特許文献３】特開２００７−１２２００号公報
【発明の概要】
【発明が解決しようとする課題】
【００１５】
特許文献２に記載されているような３波長レーザーダイオードを使用する光ピックアップ装置について、図５及び図６を参照して説明する。
【００１６】
図５において、１は例えば波長が４０５ｎｍの青紫色光である第１レーザー光を生成放射する第１レーザーチップ、例えば波長が６５５ｎｍの赤色光である第２レーザー光を生成放射する第２レーザーチップ及び例えば波長が７８５ｎｍの赤外色光である第３レーザー光を生成放射する第３レーザーチップが同一のケース内に収納されている３波長レーザーダイオードである。
【００１７】
２は前記３波長レーザーダイオード１から放射される第１レーザー光、第２レーザー光及び第３レーザー光が入射される回折格子であり、波長が異なる各レーザー光を０次光であるメインビーム、＋１次光及び−１次光である２つのサブビームに分離する回折格子部２ａと入射されるレーザー光をＳ方向の直線偏光光に変換する１／２波長板２ｂとより構成されている。
【００１８】
３は前記回折格子２を透過して入射される第１レーザー光、第２レーザー光及び第３レーザー光のＳ偏光光を反射させるとともに後述する光路を通して光ディスクから反射されてくる第１レーザー光、第２レーザー光及び第３レーザー光の戻り光であるＰ偏光光を透過させる制御膜３ａが形成されている偏光ビームスプリッタである。
【００１９】
４は前記偏光ビームスプリッタ３にて反射された第１レーザー光、第２レーザー光及び第３レーザー光が入射される位置に設けられているとともに３つの異なる波長のレーザー光に対応して入射されるレーザー光を直線偏光光から円偏光光に、また反対に円偏光光から直線偏光光に変換する作用を成す３波長対応型の１／４波長板である。
【００２０】
５は前記１／４波長板４を透過した第１レーザー光、第２レーザー光及び第３レーザー光が入射されるとともに入射されるレーザー光を平行光に変換するコリメートレンズであり、該コリメートレンズ５の光軸方向への変位動作によって光ディスクの保護層の厚さに起因して生じる球面収差を補正するように構成されている。６は前記コリメートレンズ５を光軸方向へ変位させる収差補正用モーターである。
【００２１】
７は第１レーザー光を第１光ディスクＤ１(図６参照)に設けられている信号記録層Ｌ１に集光する第１対物レンズ、８は第２レーザー光を第２光ディスクＤ２に設けられている信号記録層Ｌ２に集光させるとともに第３レーザー光を第３光ディスクＤ３に設けられている信号記録層Ｌ３に集光させる２波長対応の第２対物レンズである。斯かる構成において、第１対物レンズ７と第２対物レンズ８とは、例えば４本の支持ワイヤーによって光ディスクの面に対して直角方向であるフォーカシング方向への変位動作及び光ディスクの径方向であるトラッキング方向への変位動作を行うことが出来るように支持されているレンズホルダーと呼ばれる部材に搭載されている。
【００２２】
前記コリメートレンズ５を透過した第１レーザー光、第２レーザー光及び第３レーザー光は、図６に示す光学系によって第１対物レンズ７及び第２対物レンズ８に導かれるように構成されている。図６において、９は波長選択性素子であり、第１レーザー光を透過させるとともに第２レーザー光及び第３レーザー光を第２対物レンズ８方向へ反射させるように構成されている。１０は前記波長選択性素子９を透過した第１レーザー光を第１対物レンズ７方向へ反射させる立ち上げミラーである。斯かる構成は特許文献１に記載されている技術と同一であるので、その説明は省略する。
【００２３】
斯かる構成において、コリメートレンズ５を透過した第１レーザー光は、前記波長選択性素子９を透過するとともに立ち上げミラー１０にて反射されて第１対物レンズ７に入射されることになる。このようにして第１対物レンズ７に入射された第１レーザー光は、該第１対物レンズ７の集光動作によって第１光ディスクＤ１に設けられている信号記録層Ｌ１に集光されることになる。
【００２４】
また、前記コリメートレンズ５を透過した第２レーザー光は、前記波長選択性素子９にて反射されて第２対物レンズ８に入射されることになる。このようにして第２対物レンズ８に入射された第２レーザー光は、該第２対物レンズ８の集光動作によって第２光ディスクＤ２に設けられている信号記録層Ｌ２に集光されることになる。そして、コリメートレンズ５を透過した第３レーザー光は、前記波長選択性素子９にて反射されて第２対物レンズ８に入射されることになる。このようにして第２対物レンズ８に入射された第３レーザー光は、該第２対物レンズ８の集光動作によって第３光ディスクＤ３に設けられている信号記録層Ｌ３に集光されることになる。
【００２５】
斯かる構成において、３波長レーザーダイオード１に組み込まれている第１レーザーチップから放射された第１レーザー光は、回折格子２、偏光ビームスプリッタ３、１／４波長板４、コリメートレンズ５、波長選択性素子９及び立ち上げミラー１０を介して第１対物レンズ７に入射された後、該第１対物レンズ７の集光動作によって第１光ディスクＤ１に設けられている信号記録層Ｌ１に集光スポットとして照射されるが、前記信号記録層Ｌ１に照射された第１レーザー光は該信号記録層Ｌ１にて戻り光として反射されることになる。
【００２６】
また、３波長レーザーダイオード１に組み込まれている第２レーザーチップから放射された第２レーザー光は、回折格子２、偏光ビームスプリッタ３、１／４波長板４、コリメートレンズ５及び波長選択性素子９を介して第２対物レンズ８に入射された後、該第２対物レンズ８の集光動作によって第２光ディスクＤ２に設けられている信号記録層Ｌ２に集光スポットとして照射されるが、前記信号記録層Ｌ２に照射された第２レーザー光は該信号記録層Ｌ２にて戻り光として反射されることになる。
【００２７】
そして、３波長レーザーダイオード３に組み込まれている第３レーザーチップから放射された第３レーザー光は、回折格子２、偏光ビームスプリッタ３、１／４波長板４、コリメートレンズ５及び波長選択性素子９を介して第２対物レンズ８に入射された後、該第２対物レンズ８の集光動作によって第３光ディスクＤ３に設けられている信号記録層Ｌ３に集光スポットとして照射されるが、前記信号記録層Ｌ３に照射された第３レーザー光は該信号記録層Ｌ３にて戻り光として反射されることになる。
【００２８】
第１光ディスクＤ１の信号記録層Ｌ１から反射された第１レーザー光の戻り光は、第１対物レンズ７、立ち上げミラー１０、波長選択性素子９、コリメートレンズ５及び１／４波長板４を通して偏光ビームスプリッタ３に入射される。このようにして偏光ビームスプリッタ３に入射される戻り光は、前記１／４波長板４による位相変更動作によってＰ方向の直線偏光光に変更されている。従って、斯かる第１レーザー光の戻り光は前記偏光ビームスプリッタ３の制御膜３ａにて反射されることはなく、制御用レーザー光として該偏光ビームスプリッタ３を透過することになる。
【００２９】
また、第２光ディスクＤ２の信号記録層Ｌ２から反射された第２レーザー光の戻り光は、第２対物レンズ８、波長選択性素子９、コリメートレンズ５及び１／４波長板４を通して偏光ビームスプリッタ３に入射される。このようにして偏光ビームスプリッタ３に入射される戻り光は、前記１／４波長板４による位相変更動作によってＰ方向の直線偏光光に変更されている。従って、斯かる第２レーザー光の戻り光は前記偏光ビームスプリッタ３の制御膜３ａにて反射されることはなく、制御用レーザー光として該偏光ビームスプリッタ３を透過することになる。
【００３０】
そして、第３光ディスクＤ３の信号記録層Ｌ３から反射された第３レーザー光の戻り光は、第２対物レンズ８、波長選択性素子９、コリメートレンズ５及び１／４波長板４を通して偏光ビームスプリッタ３に入射される。このようにして偏光ビームスプリッタ３に入射される戻り光は、前記１／４波長板４による位相変更動作によってＰ方向の直線偏光光に変更されている。従って、斯かる第３レーザー光の戻り光は前記偏光ビームスプリッタ３の制御膜３ａにて反射されることはなく、制御用レーザー光として該偏光ビームスプリッタ３を透過することになる。
【００３１】
１１は前記偏光ビームスプリッタ３の制御膜３ａを透過した戻り光である制御用レーザー光が入射されるセンサーレンズであり、フォーカス制御動作やトラッキング制御動作を行う信号を生成するために該制御用レーザー光に対して作用するものである。
【００３２】
１２は前記センサーレンズ１１を通して制御用レーザー光が照射される光検出器であり、周知の４分割センサー等が第１レーザー光、第２レーザー光及び第３レーザー光に対応して設けられており、メインビームの照射動作によって光ディスクの信号記録層に記録されている信号の読み出し動作に伴う信号生成動作及び非点収差法によるフォーカシング制御動作を行うためのフォーカスエラー信号生成動作、そして２つのサブビームの照射動作によってトラッキング制御動作を行うためのトラッキングエラー信号生成動作を行うように構成されている。斯かる各種の信号生成のための制御動作は、周知であるので、その説明は省略する。
【００３３】
異なる波長の第１レーザー光、第２レーザー光及び第３レーザー光を放射する３つのレーザーチップが同一の筐体内に設けられている３波長レーザーダイオード１及び第１レーザー光、第２レーザー光及び第３レーザー光の戻り光に対応したセンサーが同一の筐体内に設けられている光検出器１２を使用する光ピックアップ装置は、前述したように構成されているが、次に３波長レーザーダイオード１及び光検出器１２について図３及び図４を参照にして説明する。
【００３４】
図３は３波長レーザーダイオード１に組み込まれているレーザーチップの配置を示すものであり、１ａは波長が短い第１レーザー光を放射する第１レーザーチップ、１ｂは前記第１レーザー光より波長が長い第２レーザー光を放射する第２レーザーチップ、１ｃは前記第２レーザー光より波長が長い第３レーザー光を放射する第３レーザーチップである。
【００３５】
斯かる構成において、第２レーザーチップ１ｂと第３レーザーチップ１ｃとは、単一の基板上に半導体技術であるモノリシック技術にて製造され、第１レーザーチップ１ａは、前記第２レーザーチップ１ｂ及び第３レーザーチップ１ｃが形成されている基板とは異なる基板上に形成されており、両者はハイブリッド技術によって１つの筐体内に設けられている。
【００３６】
３波長レーザーダイオード１に組み込まれる第２レーザーチップ１ｂと第３レーザーチップ１ｃとは、前述したようにモノリシック技術にて製造されているので、両者の位置関係は誤差が少なく正確な位置に配置されるが、第１レーザーチップ１ａはハイブリッド技術によって３波長レーザーダイオード１の筐体内に組み込まれるので、その配置には誤差が生じることになる。
【００３７】
図４は光検出器１２に組み込まれている４分割センサーの配置を示すものであり、１２ａは第１レーザー光の戻り光が照射される位置に設けられている第１受光部、１２ｂは第２レーザー光の戻り光が照射される位置に設けられている第２受光部、１２ｃは前記第３レーザー光の戻り光が照射される位置に設けられている第３受光部である。
【００３８】
図４は第１レーザー光、第２レーザー光及び第３レーザー光を構成するメインビームが照射されるメインビーム用の受光部を示すものであり、サブビーム用の受光部は、メインビーム用の受光部に対して最適な位置に配置されている。即ち、メインビームが照射されるメインビーム用の受光部に対してレーザー光のメインビームが最適な位置にて照射されている場合には、サブビーム用の受光部に対してサブビームが最適な位置にて照射されるようにされている。
【００３９】
また、第１レーザー光の戻り光が照射される第１受光部１２ａ、第２レーザー光の戻り光が照射される第２受光部１２ｂ及び第３レーザー光の戻り光が照射される第３受光部１２ｃは、図示したように４つに分割されたセンサーにて構成されている。斯かる４つに分割されたセンサーから得られる信号を利用してフォーカスエラー信号等を周知のように生成するように構成されている。
【００４０】
図４において、Ｍ１は第１レーザー光の戻り光が照射されて第１受光部１２ａ上に生成される第１レーザースポット、Ｍ２は第２レーザー光の戻り光が照射されて第２受光部１２ｂ上に生成される第２レーザースポット、Ｍ３は第３レーザー光の戻り光が照射されて第３受光部１２ｃ上に生成される第３レーザースポットである。
【００４１】
図４は第１レーザースポットＭ１、第２レーザースポットＭ２及び第３レーザースポットＭ３が、夫々第１受光部１２ａ、第２受光部１２ｂ及び第３受光部１２ｃに設けられている４分割センサーを構成する４つのセンサーの中心部、即ち最適な位置に照射された状態を示すものである。
【００４２】
光ピックアップ装置の組み立て作業によって光検出器１２の位置を調整するＸＹポジション調整が行われるが、斯かる調整動作は第２レーザー光の戻り光が照射される第２受光部１２ｂ及び第３レーザー光の戻り光が照射される第３受光部１２ｃに対して行われる。即ち、第２レーザー光を生成放射する第２レーザーチップ１ｂと第３レーザー光を生成放射する第３レーザーチップ１ｃは、前述したようにモノリシック技術にて製造されているので、両者の位置関係は正確に設定することが出来る。従って、例えば第２レーザー光の戻り光にて生成される第２レーザースポットＭ２の位置を第２受光部１２ｂの中央部、即ち最適な位置になるようにＸＹポジション調整を行えば第３レーザー光の戻り光にて生成される第３レーザースポットＭ３の位置を第３受光部１２ｃの中央部、即ち最適な位置に配置させることが出来る。
【００４３】
図２は前述した調整動作を行った状態を示すものであり、第２レーザースポットＭ２及び第３レーザースポットＭ３は、第２受光部１２ｂ及び第３受光部１２ｃの最適な位置に照射生成される。斯かるＸＹポジション調整が行われた状態において、第１レーザー光の戻り光が照射されて生成される第１レーザースポットＭ１は図示したように第１受光部１２ａの最適な位置よりずれることがある。斯かる第１レーザースポットＭ１が第１受光部１２ａの最適な位置からずれる原因は、３波長レーザーダイオード１に組み込まれる第１レーザーチップ１ａの位置が第２レーザーチップ１ｂ及び第３レーザーチップ１ｃに対する最適な設定位置からずれることにある。
【００４４】
第１レーザースポットＭ１の位置が最適な位置からずれている場合には、第２受光部１２ｂと第２レーザースポットＭ２との位置関係や第３受光部１２ｃと第３レーザースポットＭ３とのの位置関係を考慮しながら再度ＸＹポジション調整が行われるが、調整不可能な場合があり、不良品として処分されるという問題がある。
【００４５】
本発明は、斯かる問題を解決することが出来る光ピックアップ装置を提供しようとするものである。
【課題を解決するための手段】
【００４６】
本発明は、波長が短い第１レーザー光を放射する第１レーザーチップ、第１レーザー光より波長が長い第２レーザー光を放射する第２レーザーチップ及び第２レーザー光より波長が長い第３レーザー光を放射する第３レーザーチップが同一の筐体内に設けられている３波長レーザーダイオードから放射される各レーザー光を光ディスクの表面から信号記録層までの距離が異なる第１光ディスク、第２光ディスク及び第３光ディスクに設けられている信号記録層に集光させるとともに各信号記録層から反射される第１レーザー光の戻り光を受光する第１受光部、第２レーザー光の戻り光を受光する第２受光部及び第３レーザー光の戻り光を受光する第３受光部が同一の筐体内に設けられている光検出器を備え、前記第２受光部及び第３受光部を４つに分割された４分割センサーにて構成するとともに前記第１受光部を４分割以上のセンサーにて構成したことを特徴とするものである。
【００４７】
また、本発明は、第１受光部を構成する各センサーより得られる信号のレベルを調整する利得調整回路を各センサーに設けたことを特徴とするものである。
【００４８】
そして、本発明は、利得調整回路の利得を調整することによって第１受光部の位置調整を行うようにしたことを特徴とするものである。
【００４９】
また、本発明は、第１受光部の分割数を３波長レーザーダイオードに組み込まれるレーザーチップの配置ずれの大きさに基づいて設定するようにしたことを特徴とするものである。
【発明の効果】
【００５０】
本発明は、波長が短い第１レーザー光を放射する第１レーザーチップ、第１レーザー光より波長が長い第２レーザー光を放射する第２レーザーチップ及び第２レーザー光より波長が長い第３レーザー光を放射する第３レーザーチップが同一の筐体内に設けられている３波長レーザーダイオードから放射される各レーザー光を光ディスクの表面から信号記録層までの距離が異なる第１光ディスク、第２光ディスク及び第３光ディスクに設けられている信号記録層に集光させるとともに各信号記録層から反射される第１レーザー光の戻り光を受光する第１受光部、第２レーザー光の戻り光を受光する第２受光部及び第３レーザー光の戻り光を受光する第３受光部が同一の筐体内に設けられている光検出器を備え、前記第２受光部及び第３受光部を４つに分割された４分割センサーにて構成するとともに前記第１受光部を４分割以上のセンサーにて構成したので、３波長レーザーダイオードに組み込まれているレーザーチップの位置ずれに起因して光検出器に組み込まれている受光部に対して戻り光のレーザースポットの位置がずれていても信号の生成動作を正確に行うことが出来る。従って、本発明によれば、３つのレーザーチップが組み込まれた３波長レーザーダイオード及び３つの受光部が組み込まれた１つの光検出器を使用して異なる３つの規格の光ディスクに記録されている信号の読み出し動作を行うことが出来る光ピックアップ装置を提供することが出来る。
【図面の簡単な説明】
【００５１】
【図１】本発明の光ピックアップ装置に係る光検出器の一実施例を示す概略図である。
【図２】従来の光ピックアップ装置に係る光検出器を示す概略図である。
【図３】本発明の光ピックアップ装置に係る３波長レーザーダイオードの一実施例を示す概略図である。
【図４】従来の光ピックアップ装置に係る光検出器を示す概略図である。
【図５】光ピックアップ装置の光学系を示す概略図である。
【図６】光ピックアップ装置の光学系を示す概略図である。
【発明を実施するための形態】
【００５２】
異なる３つの波長のレーザー光を放射する３波長レーザーダイオードと各波長の戻り光が照射される３つの受光部を備えた光検出器が組み込まれた光ピックアップ装置に関するものである。
【実施例１】
【００５３】
図１は本発明の光ピックアップ装置に係る光検出器の一実施例を示す概略図である。本発明は、光検出器１２を構成する第１受光部１２ａを例えば図示したように１６分割させるとともに１６分割された各センサーより得られる信号のレベルを調整する利得調整回路(図示せず)を各センサーに設けたことを特徴するものである。斯かる利得調整回路は、特許文献３に記載されているような技術を利用すれば良いので、その説明は省略する。
【００５４】
ＸＹポジション調整によって第２受光部１２ｂ及び第３受光部１２ｃに対する第２レーザースポットＭ２及び第３レーザースポットＭ３の位置が最適な位置に調整された状態にあるとき、第１受光部１２ａに対する第１レーザースポットＭ１の位置が図２に示したようにずれていた場合には、本発明では、図１に示すような状態になる。
【００５５】
斯かる図面より明らかなように第１レーザースポットＭ１は、第１受光部１２ａを構成する１６分割されたセンサーの中のセンサーＡ、Ｂ、Ｃ、Ｄに照射された状態になる。斯かる状態では、センサーＡ、Ｂ、Ｃ、Ｄが４分割センサーとして作用する状態にあるため、このセンサーＡ、Ｂ、Ｃ、Ｄから得られる信号を利用することによってフォーカスエラー信号等の制御信号を得ることが出来る。
【００５６】
このようにして前記センサーＡ、Ｂ、Ｃ、Ｄから制御信号を得ることが出来るが、第１レーザースポットＭ１の位置が前記センサーＡ、Ｂ、Ｃ、Ｄの中央部に位置することは稀である。従って、前記センサーＡ、Ｂ、Ｃ、Ｄの各センサーから得られる信号のレベルが相違することになる。
【００５７】
従って、本発明の光検出器においては、前記センサーＡ、Ｂ、Ｃ、Ｄの各センサーから得られる信号のレベルが同一になるように各センサーには出力信号のレベルを調整する利得調整回路が設けられている。斯かる各センサーから得られる信号のレベルを調整する利得調整回路を設けることによって前記センサーＡ、Ｂ、Ｃ、Ｄを４分割センサーとして動作させることが出来る。
【００５８】
図１に示した状態では、第１レーザースポットＭ１が照射されるセンサーがＡ、Ｂ、Ｃ及びＤの４つであったが、照射されるセンサーの数は５から６になるように第１レーザースポットＭ１の径とセンサーの面積は設定されている。
【００５９】
また、例えば第１受光部１２ａを４つの分割センサーにて構成し、第１レーザースポットＭ１が全てのセンサーに照射されている場合、即ち照射位置のずれが小さい場合には、各センサーの利得を調整するべく設けられている利得調整回路にてずれを調整することが出来る。しかしながら、４つの分割センサーの全てのセンサーに第１レーザースポットＭ１が照射されていない場合、即ち照射位置のずれが大きい場合には、第１受光部１２ａの分割数を６以上に設定することになる。本実施例では、第１レーザースポットＭ１の照射位置のずれが非常に大きいので、第１受光部１２ａを１６分割したが、その数は４以上であれば良く、３波長レーザーダイオード１に組み込まれる各レーザーチップのずれ量に基づいて選定されることになる。
【産業上の利用可能性】
【００６０】
ＣＤ規格、ＤＶＤ規格及びＢｌｕ−ｒａｙ規格の光ディスク記録されている信号の読み出し動作を行う光ピックアップ装置に実施した場合について説明したが、その他の異なる規格の光ディスクに記録されている信号の読み出し動作を行うことが出来る光ピックアップ装置に実施することも出来る。
【００６１】
また、規格の異なる３種の光ディスクに設けられている信号記録層に３つのレーザー光を集光させるために２つの対物レンズを設けたが、１つの対物レンズによって３種の光ディスクに設けられている信号記録層に３つのレーザー光を集光させるように構成された光ピックアップ装置に実施することも出来る。
【符号の説明】
【００６２】
１      ３波長レーザーダイオード
３      偏光ビームスプリッタ
４      １／４波長板
５      コリメートレンズ
７      第１対物レンズ
８      第２対物レンズ
１２    光検出器
【図１】
2012150852.tif 000003
【図２】
2012150852.tif 000004
【図３】
2012150852.tif 000005
【図４】
2012150852.tif 000006
【図５】
2012150852.tif 000007
【図６】
2012150852.tif 000008